(57)【要約】【課題】波長分散値の設定時間を大幅に短縮できるとともに、通信障害を発生させることのない最適な波長分散値（すなわち、光信号の分散特性の中央に位置する値）を設定することを課題とする。【解決手段】分散値の決定時よりも粗く設定された設定値ごとの符号誤り率（ＢＥＲ）をモニタリングし、モニタリングされた光信号の符号誤り率（ＢＥＲ）から、分散制御に用いられる分散値を決定するための比較閾値を予め決定する粗調整を実行する。粗調整後、粗調整により決定された比較閾値に基づき分散値を決定する微調整を実行する。【選択図】        図５
2010074521.tif 000002
【特許請求の範囲】
【請求項１】
分散補償器に設定される波長分散値の決定時よりも、分散補償制御範囲で粗く設定された分散補償器の各設定値ごとに光信号の符号誤り率をモニタし、モニタされた符号誤り率に基づいて比較閾値を決定するための粗調整を実行する粗調整実行部と、
前記粗調整実行部により取得された符号誤り率の最小値をスタート地点として、前記粗調整実行部の各設定値よりも細かく設定した分散補償器の各設定値ごとに符号誤り率をモニタし、モニタされた符号誤り率と前記粗調整実行部により決定された比較閾値とを比較して、前記比較閾値を初めて超える２つの符号誤り率を取得し、取得された２つの符号誤り率の中心に対応する波長分散値を前記分散補償器の波長分散値として決定するための微調整を実行する微調整実行部と、
を有する光伝送装置。
【請求項２】
前記粗調整実行部は、予め設定された複数の候補閾値の中で、前記各設定値ごとにモニタされた符号誤り率の最小値よりも大きな値に設定された直近の候補閾値を比較閾値として決定することを特徴とする請求項１に記載の光伝送装置。
【請求項３】
前記粗調整実行部は、前記各設定値ごとにモニタされた符号誤り率の最小値を所定の整数倍した値を比較閾値として決定することを特徴とする請求項１に記載の光伝送装置。
【請求項４】
分散補償器に設定される波長分散値の決定時よりも、分散補償制御範囲で粗く設定された分散補償器の各設定値ごとに光信号の符号誤り率をモニタし、モニタされた符号誤り率に基づいて比較閾値を決定するための粗調整を実行する粗調整実行ステップと、
前記粗調整実行ステップにより取得された符号誤り率の最小値をスタート地点として、前記粗調整実行ステップの各設定値よりも細かく設定した分散補償器の各設定値ごとに符号誤り率をモニタし、モニタされた符号誤り率と前記粗調整実行ステップにより決定された比較閾値とを比較して、前記比較閾値を初めて超える２つの符号誤り率を取得し、取得された２つの符号誤り率の中心に対応する波長分散値を前記分散補償器の波長分散値として決定するための微調整を実行する微調整実行ステップと、
を含む光伝送方法。
【請求項５】
分散補償器に設定される波長分散値の決定時よりも、分散補償制御範囲で粗く設定された分散補償器の各設定値ごとに光信号の符号誤り率をモニタし、モニタされた符号誤り率に基づいて比較閾値を決定するための粗調整を実行する粗調整実行部と、
前記粗調整実行部により取得された符号誤り率の最小値をスタート地点として、前記粗調整実行部の各設定値よりも細かく設定した分散補償器の各設定値ごとに符号誤り率をモニタし、モニタされた符号誤り率と前記粗調整実行部により決定された比較閾値とを比較して、前記比較閾値を初めて超える２つの符号誤り率を取得し、取得された２つの符号誤り率の中心に対応する波長分散値を前記分散補償器の波長分散値として決定するための微調整を実行する微調整実行部と、
を有する光送受信器。
【発明の詳細な説明】
【技術分野】
【０００１】
この発明は、光伝送装置、光伝送方法および光送受信器に関する。
【背景技術】
【０００２】
近年、増大する通信トラフィックに対応することを目的として、４０Ｇｂｐｓの通信速度を実現する光ネットワークシステムの導入が活発化している。そして、光ネットワークシステム内で光信号の送受信を行う光伝送装置では、通信速度の高速化に伴って光信号パルスに生じる波形の歪み（分散）を是正するために、ＶＤＣ（Ｖａｒｉａｂｌｅ  Ｄｉｓｐｅｒｓｉｏｎ  Ｃｏｍｐｅｎｓａｔｏｒ：可変分散補償器）による分散補償が行われる。
【０００３】
例えば、特許文献１または特許文献２に開示の発明では、伝送される光信号の分散特性を示す放物線の中で、ＢＥＲ（Ｂｉｔ  Ｅｒｒｏｒ  Ｒａｔｅ：符号誤り率）の最低となる位置（例えば、図１２、図１３の（イ）参照）や、ＢＥＲ規定値以下である所定の位置（例えば、図１２、図１３の（ロ）参照）でＶＤＣの波長分散値を固定する。
【０００４】
さらに、特許文献１に開示の発明では、ＢＥＲの最低点が判明しない場合に、伝送される光信号の分散特性を示す放物線と、予め設定されたＢＥＲの閾値とが交差する２点（例えば、図１２、図１３の（ハ）、（ニ）参照）におけるＶＤＣの各波長分散値（Ｄｉｓｐｅｒｓｉｏｎ）の中央の位置（例えば、図１２、図１３の（ホ）参照）で、最適な波長分散値を設定する。
【０００５】
そして、特許文献１に開示の発明では、外気温の変化などを原因とする光信号の分散特性の変化に応じて最適な波長分散値を再設定するために、再設定動作のトリガとなる再設定動作閾値を持たせるようにしている。
【０００６】
【特許文献１】特開２００２−２０８８９２号公報
【特許文献２】特開２００３−２２４５２３号公報
【発明の開示】
【発明が解決しようとする課題】
【０００７】
ところで、上記した特許文献１または２に開示の技術では、通信障害を引き起こす恐れがある、波長分散値の設定に時間を要する、という問題点があった。
【０００８】
すなわち、図１４に示すように、伝送される光信号が底の広い分散特性を有する場合には、分散特性の特性を示す放物線の中央ではなく、かつＢＥＲが最低となる位置（例えば、図１４の（イ）参照）でＶＤＣの波長分散値が設定される場合がある。同様に、同図に示すように、分散特性の特性を示す放物線の中央ではなく、かつＢＥＲ規定値を下回る所定の位置（例えば、図１４の（ロ））でＶＤＣの波長分散値が設定される場合がある。そして、例えば、図１４の（イ）または（ロ）の位置で波長分散値を固定し、光信号のＢＥＲが再設定動作閾値を越えてから波長分散値を再設定するような制御を行う場合には、以下のような問題がある。すなわち、伝送される光信号の分散特性を示す放物線が、外気温の変化などにより図のＡからＢに急変することによって、突然の通信障害を引き起こす恐れがある。特に、４０Ｇｂｐｓの通信速度で光伝送を行う光ネットワークシステムでは、分散トレランスが狭い場合が多く、最適な位置に波長分散値を設定しなければ、通信障害を引き起こす可能性が高い。
【０００９】
また、上述したように、ＢＥＲの最低点が判明しない場合に、光信号の分散特性を示す放物線と、予め設定されたＢＥＲの閾値とが交差する２点におけるＶＤＣの各波長分散値の中央で波長分散値として設定する場合には、以下のような問題がある。
【００１０】
すなわち、図１５に示すように、光信号の分散特性を示す放物線が比較的なだらかな場合には、光信号の分散特性を示す複数の放物線と、予め設定されたＢＥＲの閾値とが交差する２点（例えば、図の（ハ）、（ニ）参照）を特定できるように、ＢＥＲ閾値の設定に広範囲な調整を行う必要があり、最終的な波長分散値の設定に時間を要する。
【００１１】
そこで、この発明は、上述した従来技術の課題を解決するためになされたものであり、通信障害を発生させることのない最適な波長分散値を設定することが可能であるとともに、波長分散値の設定時間を短縮することが可能な光伝送装置、光伝送方法および光送受信器を提供することを目的とする。
【課題を解決するための手段】
【００１２】
上述した課題を解決し、目的を達成するため、開示の装置は、分散補償器に設定される波長分散値の決定時よりも、分散補償制御範囲で粗く設定された分散補償器の各設定値ごとに光信号の符号誤り率をモニタする。そして、モニタされた符号誤り率に基づいて、分散補償器の波長分散値設定に用いる比較閾値を決定するための粗調整を実行する粗調整実行部を有する。さらに、前記粗調整実行部により取得された符号誤り率の最小値をスタート地点として、前記粗調整実行部の各設定値よりも細かく設定した分散補償器の各設定値ごとに符号誤り率をモニタする。次に、モニタされた符号誤り率と前記粗調整実行部により決定された比較閾値とを比較して、前記比較閾値を初めて超える２つの符号誤り率を取得する。そして、取得された２つの符号誤り率の中心に対応する波長分散値を前記分散補償器の波長分散値として決定するための微調整を実行する微調整実行部を有する。
【発明の効果】
【００１３】
開示の装置によれば、通信障害を発生させることのない最適な波長分散値を設定することが可能であるとともに、波長分散値の設定時間を短縮することが可能である。
【発明を実施するための最良の形態】
【００１４】
以下に添付図面を参照して、光伝送装置、光伝送方法および光送受信器の実施例を詳細に説明する。
【実施例１】
【００１５】
実施例１に係る光伝送装置は、光ネットワークシステム内で伝送される光信号を分散補償器により分散補償制御することを概要とする。そして、分散補償制御のために分散補償器に設定される分散値の決定時よりも粗い調整により、分散値の決定に用いられる比較閾値を決定し、決定された比較閾値に基づいて最適な波長分散値を決定する。
【００１６】
このようなことから、波長分散値の設定時間を大幅に短縮できるとともに、通信障害を発生させることない最適な波長分散値（すなわち、光信号の分散特性の中央に位置する値）を設定できる。
【００１７】
［光伝送装置の構成（実施例１）］
図１は、実施例１に係る光伝送装置の全体構成を示す図である。同図に示すように、実施例１に係る光伝送装置１００は、光送受信器２００と、光スイッチ３００と、光減衰器４００と、光受信器５００と、光合波器６００と、光増幅器７００と、光分波器８００とを有する。そして、光伝送装置１００は、通信回線で接続された同一の構成（光送受信器２００’〜光分波器８００’）を有する光伝送装置１００’とともに、光ネットワークシステムを構成する。
【００１８】
光送受信器２００は、電気信号を光信号に変換して発光し、光信号を電気信号に変換する。光スイッチ３００は、光送受信器２００から入力する信号の光路を切り替えて光減衰器４００に出力し、光分波器８００から入力する信号の光路を切り替えて光送受信器２００に出力する。光減衰器４００は、光スイッチ３００から入力する光の光レベルを減衰させる。光受信器５００は、光減衰器４００から受光面に入射された光を検出し、検出した光の光量に比例した電圧を光合波器６００に出力する。光合波器６００は、光受信器５００から入力する波長の異なる複数の光を多重化して光増幅器７００に出力する。
【００１９】
光増幅器７００は、光信号と電気信号との相互変換を実行することなく、光合波器６００から入力する多重信号を増幅して他の光伝送装置（例えば、光伝送装置１００’）に送出する。光分波器８００は、他の光伝送装置（例えば、光伝送装置１００’）から受け付けた多重信号を波長ごとの複数の信号に分離して光スイッチ７００に出力する。なお、光受信器５００と光分波器８００との間では、ＯＳＣ（Ｏｐｔｉｃａｌ  Ｓｕｐｅｒｖｉｓｏｒｙ  Ｃｈａｎｎｅｌ：光監視信号）がやり取りされる。
【００２０】
特に、光送受信器２００は、図２に示すように、光断検出部２１０、可変分散補償器２１１、光受信器２１２、ＢＥＲ検出部２１３、制御部２１４、ＢＥＲモニタ部２１５と、ＢＥＲ情報メモリ部２１６および比較ＢＥＲ閾値決定部２１７を有する。さらに、ＢＥＲ閾値比較部２１８、比較閾値メモリ部２１９、分散最適点算出部２２０および最適点メモリ部２２１を有する。なお、図２は、実施例１に係る光送受信器の構成を示す図である。
【００２１】
光断検出部２１０は、光信号断を検出する。可変分散補償器２１１は、後述する制御部２１４の制御下で、入力光の分散補償を可変にて実行する。光受信器２１２は、可変分散補償器２１１から入力する光を電気信号に変換する。ＢＥＲ検出部２１３は、光受信器２１２から入力する電気信号を解析して、光送受信器２００に入力された光信号のＢＥＲ（Ｂｉｔ  Ｅｒｒｏｒ  Ｒａｔｅ：符号誤り率）を検出する。
【００２２】
そして、以下に説明するように、制御部２１４から最適点メモリ部２２１により、波長分散値の決定に用いる比較閾値を粗調整により決定し、決定された比較閾値を用いた微調整により波長分散値を決定する。そして、決定された波長分散値を可変分散補償器２１１に設定することで、可変分散補償器２１１における分散補償を制御する。
【００２３】
［粗調整動作］
まず、光送受信器２００における粗調整による比較閾値決定までの動作を説明する。制御部２１４は、光伝送装置１００に電源が投入されると、可変分散補償器２１１に対する設定値を、分散補償制御の許容設定範囲内で任意の設定始点（例えば、原点など）から一定方向に荒く変化させる。例えば、±１０００ｐｓ／ｎｍの設定範囲内で５０ｐｓ／ｎｍずつ変化させる。
【００２４】
ＢＥＲモニタ部２１５は、可変分散補償器２１１に対する各設定値ごとに、ＢＥＲ検出部２１３で検出されるＢＥＲ（例えば、図３の（Ａ）、（Ｂ）、（Ｃ））をモニタして、モニタした各ＢＥＲに関するＢＥＲ情報をＢＥＲ情報メモリ部２１６にそれぞれ格納する。なお、図３は、実施例１に係る光伝送装置の粗調整を説明するための図である。
【００２５】
比較ＢＥＲ閾値決定部２１７は、可変分散補償器２１１に対する各設定値ごとのＢＥＲ情報をＢＥＲ情報メモリ部２１６から読込んで、符号誤り率が最小である最も良い値（例えば、図３の（Ｂ））を取得する。
【００２６】
そして、比較ＢＥＲ閾値決定部２１７は、符号誤り率が最小である最も良い値が、予め設定しておいた比較閾値（例えば、図３のＢＥＲ閾値１〜４）の中で、どの閾値の下側にあるかを判断する。例えば、図３に示す場合では、符号誤り率が最小である最も良い値（Ｂ）は、ＢＥＲ閾値２の下側にあると判断できるので、ＢＥＲ閾値２を比較閾値として決定して比較閾値メモリ部２１９に格納する。
【００２７】
上記では、符号誤り率が最小である最も良い値と比較するために、複数の比較閾値（例えば、図３のＢＥＲ閾値１〜４）を予め設定しておいて、波長分散値の決定に用いる比較閾値を決定する場合を説明した。しかしながら、これに限定されるものではなく、例えば、ＢＥＲ情報メモリ部２１６から読込んだＢＥＲ情報の中で、符号誤り率が最小である最も良い値を整数倍（例えば、１０倍）した値を比較閾値として決定してもよい。
【００２８】
また、可変分散補償器２１１に対する各設定値は、光受信器２１２の分散トレランスよりも狭く設定する。
【００２９】
また、可変分散補償器２１１に対する各設定値の設定方法としては、−側の設定値から＋側の設定値へ、あるいは＋側の設定値から−側の設定値へ変化させたり、原点から左右のどちらか一方に変化させた後、残りの一方へ変化させたりする方法が考えられる。
【００３０】
また、可変分散補償器２１１に対する各設定値を一通り変化させた後、比較閾値を決定する上での有効点（例えば、図３の（Ｂ））が見つからない場合には、分散補償制御の許容設定範囲内で設定始点を変えて、可変分散補償器２１１に対する各設定値を再度変化させる。例えば、最初の設定で−１０００、−９５０、−９００、…ｐｓ／ｎｍと設定値を変化させていた場合には、次の設定で、−９７５、−９２５、−８７５、…ｐｓ／ｎｍと変化させるようにして、最初の設定値と同じにならないようにする。
【００３１】
［微調整動作］
次に、光送受信器２００における微調整による波長分散値を決定するまでの動作を説明する。制御部２１４は、ＢＥＲ情報メモリ部２１６に格納されている符号誤り率が最小である最も良い値をスタート地点として、可変分散補償器２１１に対する設定値を、上述した比較閾値の決定時よりも細かく変化させる。例えば、符号誤り率が最小である最も良い値（例えば、図３の（Ｂ））をスタート地点として、５ｐｓ／ｎｍずつ変化させる。
【００３２】
ＢＥＲモニタ部２１５は、可変分散補償器２１１に対する各設定値ごとに、ＢＥＲ検出部２１３で検出されるＢＥＲ（例えば、図４参照）をモニタして、モニタした各ＢＥＲに関するＢＥＲ情報をＢＥＲ情報メモリ部２１６にそれぞれ格納する。
【００３３】
ＢＥＲ閾値比較部２１８は、比較閾値メモリ部２１９から比較閾値を読込むとともに、符号誤り率が最小である最も良い値をスタート地点とした各ＢＥＲ情報をＢＥＲ情報メモリ部２１６から読込んで、各ＢＥＲ情報と比較閾値との比較を行う。
【００３４】
そして、ＢＥＲ閾値比較部２１８は、可変分散補償器２１１に対する各設定値の中から、比較閾値を超える各ＢＥＲ情報のそれぞれ対応した２箇所の設定値（分散特性を示す放物線が比較閾値を跨いで、再び比較閾値と交差する位置に対応した設定値）を取得する。例えば、図５に示す場合では、可変分散補償器２１１に対する各設定値の中から、比較閾値（ＢＥＲ閾値２）を超える各ＢＥＲ情報のそれぞれ対応した各設定値として、点（Ｄ）および点（Ｅ）に対応する設定値を取得する。
【００３５】
分散最適点算出部２２０は、ＢＥＲ閾値比較部２１８により取得された各設定値の中心に位置する値を算出して、算出された値を最適な波長分散値として決定し、最適点メモリ部２２１に格納する。制御部２１４は、最適点メモリ部２２１から最適な波長分散値を読込んで、可変分散補償器２１１に設定する。
【００３６】
なお、上述してきた微調整の実行中に、光信号の分散特性が変化した場合には、以下のようにして対応できる。例えば、比較閾値を超える各ＢＥＲ情報のそれぞれ対応した各設定値（分散特性を示す放物線が比較閾値を跨いで、再び比較閾値と交差する位置）を複数回取得して決定する。このとき、比較閾値を跨ぐ前後の値のみに着目することにより効率的に処理が可能である。
【００３７】
例えば、ＢＥＲモニタ部２１５により１度目にモニタされたＢＥＲ情報（図６の（Ｇ）、（Ｈ））と、２度目にモニタされたＢＥＲ情報（図６の（Ｉ）、（Ｊ）あるいは（Ｋ））とが異なっている場合には微調整をやり直す。また、左側および右側の双方の分散特性が異なっている場合には微調整をやり直し、左側または右側のどちらかの分散特性が異なっている場合には、異なっている側の微調整のみをやり直す。なお、図４〜図６は、実施例１に係る光伝送装置の微調整を説明するための図である。
【００３８】
［再調整動作］
光伝送装置１００の運用開始後の波長分散値の定期的な再調整動作について説明する。例えば、図７に示すように、予め設定された複数のＢＥＲ閾値の中から、最大のＢＥＲ閾値（ＢＥＲ閾値４）と、次の大きさのＢＥＲ閾値（ＢＥＲ閾値３）との間に、波長分散値の再調整動作を開始するための再調整閾値を設定する。
【００３９】
そして、比較ＢＥＲ閾値決定部２１７は、ＢＥＲ情報メモリ部２１６に格納されるＢＥＲ情報に基づいて、運用中の光信号の分散特性を取得し、取得された分散特性の底が再調整閾値を下回っているか否かを判断する。
【００４０】
判断の結果、分散特性の底が再調整閾値を下回っている場合には、比較ＢＥＲ閾値決定部２１７は、さらに、再調整閾値の次の大きさのＢＥＲ閾値（図７のＢＥＲ閾値３）を下回っているか否かを判断する。
【００４１】
判断の結果、比較ＢＥＲ閾値決定部２１７により、分散特性の底が再調整閾値の次の大きさのＢＥＲ閾値（図７のＢＥＲ閾値３）を下回っていると判断された場合（例えば、図７の（Ｅ））には、光伝送装置１００は、上述した微調整と同様な方法で、波長分散値の再調整を実行する。
【００４２】
一方、判断の結果、比較ＢＥＲ閾値決定部２１７により、分散特性の底が再調整閾値の次の大きさのＢＥＲ閾値（図７のＢＥＲ閾値３）を上回っていると判断された場合（例えば、図７の（Ｆ））には、光伝送装置１００は、再調整閾値を比較閾値として、上述した微調整と同様な方法で、波長分散値の再調整を実行する。図７は、実施例１に係る光伝送装置の再調整を説明するための図である。
【００４３】
なお、比較ＢＥＲ閾値決定部２１７により、運用中である光信号の分散特性の底が再調整閾値を下回っていないと判断された場合には、光伝送装置１００は再調整を行わない。同様に、運用中である光信号の分散特性の底が、既に再調整閾値を上回っている場合には、光伝送装置１００は再調整を行わない。
【００４４】
［通信障害発生時の動作］
通信障害発生時の光伝送装置１００による動作を説明する。光断検出部２１０は、光断が検出されると、光の検出を待機する。光断検出部２１０により光が検出されると、光伝送装置１００は、最適点メモリ部２２１に格納されている波長分散値を最初の設定値として、比較閾値メモリ部２１９に格納されている比較閾値を用いて、波長分散値の再調整を実行する。そして、光伝送装置１００は、再調整された波長分散値を可変分散補償器２１１に設定した後、通信障害が復旧したか否かを確認する。通信障害の復旧が確認されると、光伝送装置１００は、上述した微調整を再度実行して処理を終了する。
【００４５】
一方、通信障害の復旧が確認されなかった場合には、光伝送装置１００は、上述した粗調整を実行するとともに、上述した微調整を実行する。そして、光伝送装置１００は、微調整により得られる波長分散値を可変分散補償器２１１に設定した後、通信障害が復旧したか否かを確認する。通信障害の復旧が確認された場合には、光伝送装置１００は、処理を終了する。
【００４６】
［光伝送装置による処理（実施例１）］
図８は、実施例１に係る光伝送装置による粗調整処理の流れを示す図である。同図に示すように、制御部２１４は、光伝送装置１００に電源が投入されると（ステップＳ１肯定）、可変分散補償器２１１に対する設定値を、分散補償制御の許容設定範囲内で任意の設定始点（例えば、原点など）から一定方向に荒く変化させる。
【００４７】
ＢＥＲモニタ部２１５は、可変分散補償器２１１に対する各設定値ごとに、ＢＥＲ検出部２１３で検出されるＢＥＲ（例えば、図３の（Ａ）、（Ｂ）、（Ｃ））をモニタして、モニタした各ＢＥＲに関するＢＥＲ情報をＢＥＲ情報メモリ部２１６にそれぞれ格納する（ステップＳ２）。
【００４８】
比較ＢＥＲ閾値決定部２１７は、ＢＥＲ情報メモリ部２１６から、可変分散補償器２１１に対する各設定値ごとのＢＥＲ情報を読込んで、符号誤り率が最小である最も良い値（ＢＥＲ）を取得し、取得した最も良い値（ＢＥＲ）が、予め設定しておいた比較閾値（例えば、図３のＢＥＲ閾値１〜４）の中で、どの閾値の下側にあるかを特定する（ステップＳ３）。そして、比較ＢＥＲ閾値決定部２１７は、特定されたＢＥＲ閾値（例えば、図３のＢＥＲ閾値２）を比較閾値として決定し（ステップＳ４）、比較閾値メモリ部２１９に格納して処理を終了する。
【００４９】
図９は、実施例１に係る光伝送装置による微調整処理の流れを示す図である。同図に示すように、制御部２１４は、ＢＥＲ情報メモリ部２１６に格納されている符号誤り率の中から、符号誤り率が最小である最も良い値（ＢＥＲ）を取得する（ステップＳ１）。
【００５０】
そして、制御部２１４は、取得した符号誤り率が最小である最も良い値（ＢＥＲ）をスタート地点として、可変分散補償器２１１に対する設定値を、上述した比較閾値の決定時よりも細かく変化させる。ＢＥＲモニタ部２１５は、可変分散補償器２１１に対する各設定値ごとに、ＢＥＲ検出部２１３で検出されるＢＥＲ（例えば、図６参照）をモニタして（ステップＳ２）、モニタした各ＢＥＲに関するＢＥＲ情報をＢＥＲ情報メモリ部２１６にそれぞれ格納する（ステップＳ３）。
【００５１】
ＢＥＲ閾値比較部２１８は、比較閾値メモリ部２１９から比較閾値（例えば、図３のＢＥＲ閾値２）を読込むとともに、符号誤り率が最小である最も良い値をスタート地点とした各ＢＥＲ情報をＢＥＲ情報メモリ部２１６から読込んで、各ＢＥＲ情報と比較閾値との比較を行う（ステップＳ４）。
【００５２】
そして、ＢＥＲ閾値比較部２１８は、可変分散補償器２１１に対する各設定値の中から、比較閾値を超える各ＢＥＲ情報のそれぞれ対応した２箇所の設定値（分散特性を示す放物線が比較閾値を跨いで、再び比較閾値と交差する位置に対応した設定値）を取得する（ステップＳ５）。例えば、図５に示す場合では、可変分散補償器２１１に対する各設定値の中から、比較閾値（ＢＥＲ閾値２）を超える各ＢＥＲ情報のそれぞれ対応した各設定値として、点（Ｄ）および点（Ｅ）に対応する設定値を取得する。
【００５３】
分散最適点算出部２２０は、ＢＥＲ閾値比較部２１８により取得された各設定値の中心に位置する値を算出して、算出された値を最適な波長分散値として決定し（ステップＳ６）、最適点メモリ部２２１に格納する（ステップＳ７）。制御部２１４は、最適点メモリ部２２１から最適な波長分散値を読込んで、可変分散補償器２１１に設定して（ステップＳ８）、処理を終了する。
【００５４】
図１０は、実施例１に係る光伝送装置による再調整処理の流れを示す図である。同図に示すように、比較ＢＥＲ閾値決定部２１７は、ＢＥＲ情報メモリ部２１６に格納されるＢＥＲ情報に基づいて、運用中の光信号の分散特性を取得し、取得された分散特性の底が再調整閾値を下回っているか否かを判断する（ステップＳ１）。判断の結果、分散特性の底が再調整閾値を下回っている場合には（ステップＳ１肯定）、比較ＢＥＲ閾値決定部２１７は、さらに、再調整閾値の次の大きさのＢＥＲ閾値（図７のＢＥＲ閾値３）を下回っているか否かを判断する（ステップＳ２）。
【００５５】
判断の結果、比較ＢＥＲ閾値決定部２１７により、分散特性の底が再調整閾値の次の大きさのＢＥＲ閾値（図７のＢＥＲ閾値３）を下回っていると判断された場合（例えば、図７の（Ｅ））には（ステップＳ２肯定）、光伝送装置１００は、上述した微調整と同様な方法（図９参照）で、波長分散値の再調整を実行して（ステップＳ３）、処理を終了する。
【００５６】
一方、判断の結果、比較ＢＥＲ閾値決定部２１７により、分散特性の底が再調整閾値の次の大きさのＢＥＲ閾値（図７のＢＥＲ閾値３）を下回っていない（上回っている）と判断された場合（例えば、図７の（Ｆ））には（ステップＳ２否定）、光伝送装置１００は、再調整閾値を比較閾値として、上述した微調整と同様な方法（図９参照）で、波長分散値の再調整を実行して（ステップＳ４）、処理を終了する。
【００５７】
なお、比較ＢＥＲ閾値決定部２１７により、分散特性の底が再調整閾値を下回っていないと判断された場合には（ステップＳ１否定）、再調整処理を行わずにそのまま処理を終了する。
【００５８】
図１１は、実施例１に係る光伝送装置による通信障害発生時の処理の流れを示す図である。同図に示すように、光断検出部２１０は、光信号断が検出されると（ステップＳ１肯定）、光の検出を待機する（ステップＳ２）。光断検出部２１０により光が検出されると（ステップＳ２肯定）、光伝送装置１００は、最適点メモリ部２２１に格納されている波長分散値を最初の設定値として、比較閾値メモリ部２１９に格納されている比較閾値を用いて、波長分散値の再調整を実行する（ステップＳ３）。
【００５９】
そして、光伝送装置１００は、再調整された波長分散値を可変分散補償器２１１に設定した後、通信障害が復旧したか否かを確認する（ステップＳ４）。通信障害の復旧が確認されると（ステップＳ４肯定）、光伝送装置１００は、上述した再微調整（図９参照）を実行して（ステップＳ５）、処理を終了する。
【００６０】
一方、通信障害の復旧が確認されなかった場合には（ステップＳ４否定）、光伝送装置１００は、上述した粗調整（図８参照）を実行するとともに（ステップＳ６）、上述した再微調整（図９参照）を実行する（ステップＳ７）。そして、光伝送装置１００は、微調整により得られる波長分散値を可変分散補償器２１１に設定した後、通信障害が復旧したか否かを確認する（ステップＳ８）。通信障害の復旧が確認された場合には（ステップＳ８肯定）、光伝送装置１００は処理を終了する。一方、通信障害の復旧が確認されなかった場合には（ステップＳ８否定）、光伝送装置１００は、通信障害の復旧が確認されるまで、上述したステップＳ６およびステップＳ７の処理を繰り返し実行する。
【００６１】
［実施例１による効果］
上述してきたように、実施例１によれば、分散値の決定時よりも粗く設定された設定値ごとの符号誤り率（ＢＥＲ）をモニタリングし、モニタリングされた光信号の符号誤り率（ＢＥＲ）から、分散制御に用いられる分散値を決定するための比較閾値を予め決定する粗調整を実行する。粗調整後、粗調整により決定された比較閾値に基づき分散値を決定する微調整を実行するので、波長分散値の設定時間を大幅に短縮できるとともに、通信障害を発生させることのない最適な波長分散値（すなわち、光信号の分散特性の中央に位置する値）を設定できる。
【００６２】
また、実施例１によれば、波長分散値の設定時間を大幅に短縮するので、光伝送装置１００全体としての起動時間を早くすることができる。
【００６３】
また、実施例１によれば、波長分散値の設定時間を大幅に短縮するので、可変分散補償器２１１の寿命を延ばすことができる。
【実施例２】
【００６４】
光伝送装置１００の他の実施形態について説明する。
【００６５】
（１）装置構成等
図２に示した光伝送装置１００内の光送受信器２００の各構成要素は機能概念的なものであり、必ずしも物理的に図示の如く構成されていることを要しない。すなわち、光送受信器２００の分散・統合の具体的形態は図示のものに限られず、例えば、ＢＥＲ閾値比較部２１８と、分散最適点算出部２２０とを統合するようにしてもよい。このように、光送受信器２００の全部または一部を、各種の負荷や使用状況などに応じて、任意の単位で機能的または物理的に分散・統合して構成することができる。さらに、光送受信器２００にて行なわれる各処理機能（例えば、図８〜図１１参照）は、その全部または任意の一部が、ＣＰＵおよび当該ＣＰＵにて解析実行されるプログラムにて実現され、あるいは、ワイヤードロジックによるハードウェアとして実現され得る。
【００６６】
（２）光伝送方法
上記の実施例１で説明した光伝送装置１００の光送受信器２００により、以下のような光伝送方法が実現される。
【００６７】
すなわち、可変分散補償器２１１に設定される波長分散値の決定時よりも、分散補償制御範囲で粗く設定された分散補償器の各設定値ごとに光信号の符号誤り率をモニタする。そして、モニタされた符号誤り率に基づいて比較閾値を決定するための粗調整を実行する粗調整実行ステップを（図８参照）含む。さらに、粗調整実行ステップにより取得された符号誤り率の最小値をスタート地点として、粗調整実行ステップの各設定値よりも細かく設定した可変分散補償器２１１の各設定値ごとに符号誤り率をモニタする。モニタされた符号誤り率と粗調整実行ステップにより決定された比較閾値とを比較して、比較閾値を初めて超える２つの符号誤り率を取得する。取得された２つの符号誤り率の中心に対応する波長分散値を可変分散補償器２１１の波長分散値として決定するための微調整を実行する微調整実行ステップ（図９参照）を含んだ光伝送方法が実現される。
【００６８】
以上の実施例を含む実施形態に関し、さらに以下の付記を開示する。
【００６９】
（付記１）分散補償器に設定される波長分散値の決定時よりも、分散補償制御範囲で粗く設定された分散補償器の各設定値ごとに光信号の符号誤り率をモニタし、モニタされた符号誤り率に基づいて、分散補償器の波長分散値設定に用いる比較閾値を決定するための粗調整を実行する粗調整実行部と、
前記粗調整実行部により取得された符号誤り率の最小値をスタート地点として、前記粗調整実行部の各設定値よりも細かく設定した分散補償器の各設定値ごとに符号誤り率をモニタし、モニタされた符号誤り率と前記粗調整実行部により決定された比較閾値とを比較して、前記比較閾値を初めて超える２つの符号誤り率を取得し、取得された２つの符号誤り率の中心に対応する波長分散値を前記分散補償器の波長分散値として決定するための微調整を実行する微調整実行部と、
を有する光伝送装置。
【００７０】
（付記２）前記粗調整実行部は、予め設定された複数の候補閾値の中で、前記各設定値ごとにモニタされた符号誤り率の最小値よりも大きな値に設定された直近の候補閾値を比較閾値として決定することを特徴とする付記１に記載の光伝送装置。
【００７１】
（付記３）前記粗調整実行部は、前記各設定値ごとにモニタされた符号誤り率の最小値を所定の整数倍した値を比較閾値として決定することを特徴とする付記１に記載の光伝送装置。
【００７２】
（付記４）運用中の光信号の符号誤り率の最小値が、複数の符号誤り率閾値間に設定された再調整閾値を下回っている場合に、当該再調整閾値よりも低い値に設定された直近の符号誤り率閾値を下回っているか否かを判定する閾値判定部をさらに有し、
前記運用中の光信号の符号誤り率の最小値が、前記再調整閾値よりも低い値に設定された直近の符号誤り率閾値を下回っていると前記閾値判定部により判定された場合には、前記微調整実行部は前記微調整による再調整を実行し、
前記運用中の光信号の符号誤り率の最小値が、前記再調整閾値よりも低い値に設定された直近の符号誤り率閾値を上回っていると前記閾値判定部により判定された場合には、前記微調整実行部は、前記再調整閾値を前記比較閾値として、前記微調整による再調整を実行することを特徴とする付記１〜３のいずれか一つに記載の光伝送装置。
【００７３】
（付記５）運用中の光信号の信号断を検出する信号断検出部と、
前記信号断検出部により前記信号断が検出された後に、前記光信号を再検出する光検出部と、
前記光検出部により前記光信号が検出された場合には、前記信号断検出部により前記信号断が検出される前に、前記光伝送装置内にて用いられていた前記比較閾値および前記波長分散値により前記光信号の送受信の復旧処理を実行する送受信復旧処理部と、
をさらに有し、
前記送受信復旧処理部により前記光信号の送受信が復旧した場合には、前記微調整実行部は前記微調整を改めて実行し、
前記送受信復旧処理部により前記光信号の送受信が復旧しなかった場合には、前記粗調整実行部は前記粗調整を実行して前記比較閾値を改めて決定し、前記微調整実行部は、前記粗調整実行部により改めて決定された前記比較閾値を用いて、前記微調整を改めて実行して前記波長分散値を決定することを特徴とする付記１〜４のいずれか一つに記載の光伝送装置。
【００７４】
（付記６）分散補償器に設定される波長分散値の決定時よりも、分散補償制御範囲で粗く設定された分散補償器の各設定値ごとに光信号の符号誤り率をモニタし、モニタされた符号誤り率に基づいて比較閾値を決定するための粗調整を実行する粗調整実行ステップと、
前記粗調整実行ステップにより取得された符号誤り率の最小値をスタート地点として、前記粗調整実行ステップの各設定値よりも細かく設定した分散補償器の各設定値ごとに符号誤り率をモニタし、モニタされた符号誤り率と前記粗調整実行ステップにより決定された比較閾値とを比較して、前記比較閾値を初めて超える２つの符号誤り率を取得し、取得された２つの符号誤り率の中心に対応する波長分散値を前記分散補償器の波長分散値として決定するための微調整を実行する微調整実行ステップと、
を含む光伝送方法。
【００７５】
（付記７）分散補償器に設定される波長分散値の決定時よりも、分散補償制御範囲で粗く設定された分散補償器の各設定値ごとに光信号の符号誤り率をモニタし、モニタされた符号誤り率に基づいて比較閾値を決定するための粗調整を実行する粗調整実行部と、
前記粗調整実行部により取得された符号誤り率の最小値をスタート地点として、前記粗調整実行部の各設定値よりも細かく設定した分散補償器の各設定値ごとに符号誤り率をモニタし、モニタされた符号誤り率と前記粗調整実行部により決定された比較閾値とを比較して、前記比較閾値を初めて超える２つの符号誤り率を取得し、取得された２つの符号誤り率の中心に対応する波長分散値を前記分散補償器の波長分散値として決定するための微調整を実行する微調整実行部と、
を有する光送受信器。
【図面の簡単な説明】
【００７６】
【図１】実施例１に係る光伝送装置の全体構成を示す図である。
【図２】実施例１に係る光送受信器の構成を示す図である。
【図３】実施例１に係る光伝送装置の粗調整を説明するための図である。
【図４】実施例１に係る光伝送装置の微調整を説明するための図である。
【図５】実施例１に係る光伝送装置の微調整を説明するための図である。
【図６】実施例１に係る光伝送装置の微調整を説明するための図である。
【図７】実施例１に係る光伝送装置の再調整を説明するための図である。
【図８】実施例１に係る光伝送装置による粗調整処理の流れを示す図である。
【図９】実施例１に係る光伝送装置による微調整処理の流れを示す図である。
【図１０】実施例１に係る光伝送装置による再調整処理の流れを示す図である。
【図１１】実施例１に係る光伝送装置による通信障害発生時の処理の流れを示す図である。
【図１２】従来技術を説明するための図である。
【図１３】従来技術を説明するための図である。
【図１４】従来技術の問題点を説明するための図である。
【図１５】従来技術の問題点を説明するための図である。
【符号の説明】
【００７７】
１００、１００’  光伝送装置
２００、２００’  光送受信器
２１０  光断検出部
２１１  可変分散補償器
２１２  光受信器
２１３  ＢＥＲ検出部
２１４  制御部
２１５  ＢＥＲモニタ部
２１６  ＢＥＲ情報メモリ部
２１７  比較ＢＥＲ閾値決定部
２１８  ＢＥＲ閾値比較部
２１９  比較閾値メモリ部
２２０  分散最適点算出部
２２１  最適点メモリ部
３００、３００’  光スイッチ
４００、４００’  光減衰器
５００、５００’  光受信器
６００、６００’  光合波器
７００、７００’  光増幅器
８００、８００’  光分波器
【図１】
2010074521.tif 000003
【図２】
2010074521.tif 000004
【図３】
2010074521.tif 000005
【図４】
2010074521.tif 000006
【図５】
2010074521.tif 000007
【図６】
2010074521.tif 000008
【図７】
2010074521.tif 000009
【図８】
2010074521.tif 000010
【図９】
2010074521.tif 000011
【図１０】
2010074521.tif 000012
【図１１】
2010074521.tif 000013
【図１２】
2010074521.tif 000014
【図１３】
2010074521.tif 000015
【図１４】
2010074521.tif 000016
【図１５】
2010074521.tif 000017